(57)【要約】【課題】テレビコンセントにおいて、筐体の幅を狭くすることが可能となり、同軸ケーブルを容易に接続可能とし、また、２つのスイッチがそれぞれどちらのテレビ端子に対応したものであるかが分かりやすく、テレビ端子を双方向通信用とするか片方向通信用とするかを容易に設定可能とする。【解決手段】第１のテレビ端子２ａ及び第２のテレビ端子は、それぞれ第１の切り替えスイッチ４ａ及び第２の切り替えスイッチ４ｂを筐体１０の外部から切り替えることにより、双方向通信用と片方向通信用とのどちらかに設定される。第１の切り替えスイッチ４ａ及び第２の切り替えスイッチ４ｂは、共に第２のテレビ端子近傍に配置されている。第１の切り替えスイッチ４ａは、第２の切り替えスイッチ４ｂよりも第１のテレビ端子２ａに近い位置に配置され、第２の切り替えスイッチ４ｂは、第１の切り替えスイッチ４ａよりも第２のテレビ端子２ｂに近い位置に配置されている。【選択図】図１
2007012469.tif 000002
【特許請求の範囲】
【請求項１】
筐体前面から露出されるように設けられた第１のテレビ端子及び第２のテレビ端子と、
筐体外部に露出するように筐体の背面側に配され、同軸ケーブルと接続される入力端子とが筐体に形成され、
筐体内部に収納され、前記入力端子に接続されて前記同軸ケーブルを経由して送られる信号を２分配する２分配回路を有する２分配回路基板と、
前記２分配回路と第１のテレビ端子とを前記信号を伝送可能に接続する第一の経路と、第一の経路とは異なり前記２分配回路と第２のテレビ端子とを前記信号を伝送可能に接続する第二の経路と、これら第一、第二の経路それぞれに個別に挿入可能なフィルタとを有し、筐体内部に収納されたフィルタ回路基板と、
前記筐体前面に外部から操作可能に設けられ、第一の経路に接続され、前記フィルタを第一の経路に挿入するかどうかによって第１のテレビ端子を双方向通信と片方向通信とに切り替えるための第１の切り替えスイッチと、前記筐体前面に外部から操作可能に設けられ、第二の経路に接続され、前記フィルタを第二の経路に挿入するかどうかによって第２のテレビ端子を双方向通信と片方向通信とに切り替えるための第２の切り替えスイッチとを備えたテレビコンセントにおいて、
前記第１の切り替えスイッチ及び第２の切り替えスイッチは、共に前記第１のテレビ端子又は第２のテレビ端子のいずれか一方の近傍に配置されており、
前記第１の切り替えスイッチは、第２の切り替えスイッチよりも前記第１のテレビ端子に近い位置に配置され、
前記第２の切り替えスイッチは、第１の切り替えスイッチよりも前記第２のテレビ端子に近い位置に配置されていることを特徴とするテレビコンセント。
【請求項２】
前記第１の切り替えスイッチ及び第２の切り替えスイッチそれぞれには、筐体前方から目視可能な色表示部が設けられており、
この色表示部は、前記第１の切り替えスイッチ及び第２の切り替えスイッチそれぞれが双方向通信に設定された状態での表示部分と、片方向通信に設定された状態での表示部分とが互いに異なる色を有しており、前記第１の切り替えスイッチ及び第２の切り替えスイッチそれぞれの双方向通信／片方向通信の設定状態に応じて筐体前方に表示する色が変化することで、前記第１の切り替えスイッチ及び第２の切り替えスイッチそれぞれの設定状態を目視可能にしたことを特徴とする請求項１記載のテレビコンセント。
【請求項３】
前記筐体の前面に位置するように配されたカバーを備え、
前記カバーは、透光性を有する材質で形成され、前記色表示部の表示色を前方に透過させるように各表示部と対応する位置に設けられた窓部と、
各窓部の近傍に配され、前記色表示部の表示色が前記第１の切り替えスイッチ及び第２の切り替えスイッチの双方向通信／片方向通信のいずれの設定状態と対応する色かを示す説明表示部とを有することを特徴とする請求項２記載のテレビコンセント。
【請求項４】
前記筐体の前面を覆うように配されたカバーを備え、
前記カバーの第１の切り替えスイッチ及び第２の切り替えスイッチとそれぞれ対応する位置には、操作されないときには自重により閉状態となるかまたは内装した弾性部材の付勢力で閉状態となるシャッタを有する開閉窓が設けられており、
前記シャッタが操作されてこの開閉窓が開状態となることにより、外部から前記第１の切り替えスイッチ又は第２の切り替えスイッチが操作可能となることを特徴とする請求項２又は請求項３のいずれかに記載のテレビコンセント。
【請求項５】
筐体前方から目視可能に設けられた発光部と、
前記第１の切り替えスイッチ及び第２の切り替えスイッチが片方向通信から双方向通信へ、又は双方向通信から片方向通信へ操作されるときに電気を発生し、前記発光部へ通電可能な発電部とをさらに有することを特徴とする請求項１記載のテレビコンセント。
【発明の詳細な説明】
【技術分野】
【０００１】
本発明は、双方向ＣＡＴＶ用配線系等の信号伝送システムの末端において、そのシステムと、テレビ受像機やチューナ等の受信機器又はケーブルモデム等の情報端末とを接続するテレビコンセントに関するものである。
【背景技術】
【０００２】
一般に、双方向ＣＡＴＶの信号伝送システムにおいては、ＣＡＴＶ局から加入者に向けての下り方向に対応する信号とその反対方向の上り方向に対応する信号とを周波数帯域で分けることにより、一本の同軸ケーブルで双方向通信が行われている。この上り方向の信号に加入者側からノイズ等が混入すると、通信の性能が低下するなどの影響を生じる。このため、下り方向のみの片方向通信のみを行うときには、信号伝送システムの末端となる端子を備えたテレビコンセントとして、上り方向に対応する周波数帯域の信号をカットするフィルタを備えたものが用いられている。
【０００３】
このようなテレビコンセントの中には、フィルタを適用するかどうかをスイッチにより選択して、双方向通信を行うか片方向通信を行うかを選択可能としたものが知られている。また、双方向通信／片方向通信を選択可能なテレビコンセントとしては、例えば特許文献１又は特許文献２に示されるように、２つのテレビ端子を有し、これらのテレビ端子についてそれぞれ双方向通信用か片方向通信用かを切り替える２つの切り替えスイッチを有するものがある。
【０００４】
図９（ａ）、（ｂ）、（ｃ）は、上述の特許文献１に記載されたテレビコンセントの一例を示す。このテレビコンセント８１の筐体８１０の前面の上部及び下部には、それぞれ第１のテレビ端子８２ａ及び第２のテレビ端子８２ｂが設けられている。また、背面側には、入力端子８２ｃが筐体８１０の外部に下向きに露出するように設けられている。筐体８１０の前面の、第２のテレビ端子８２ｂの近傍には、筐体８１０に設けられている操作孔８３を通して外部から操作可能となるように、２つの切り替えスイッチ（以下、スイッチと呼ぶ）８４が設けられている。これらの２つのスイッチ８４は、図９（ａ）に示すように、互いに略水平に並んで設けられている。筐体８１０の第１のテレビ端子８２ａと操作孔８３との間の部位は、前面から見て幅が狭くくびれたような形状に形成されている。入力端子８２ｃは、この筐体８１０のくびれた部位の後方に設けられている。
【０００５】
図１０は、フィルタ回路基板８６を示す。フィルタ回路基板８６は、筐体８１０の内部に配され、入力端子８２ｃと第１のテレビ端子８２ａ及び第２のテレビ端子８２ｂとの間に接続されるフィルタ８８を搭載している。スイッチ８４は、このフィルタ８８を適用するかどうかを切り替えることによって双方向通信と片方向通信とを切り替える。
【０００６】
このテレビコンセント８１は、図１１（ａ）、（ｂ）に示すように、筐体８１０の前面がカバー８２０により覆われて、室内等にカバー８２０と第１のテレビ端子８２ａ及び第２のテレビ端子８２ｂとが露出するように、壁面８９０に配置されて用いられる。スイッチ８４はカバー８２０により覆われており、普段、ユーザ等が誤ってスイッチ８４を操作してしまうことを防止している。テレビコンセント８１の後方には、アウトレットボックス８８０が設けられている。テレビコンセント８１は、壁面８９０の背面側からアウトレットボックス８８０内に配された同軸ケーブル８６０の端部の端子８６１が入力端子８２ｃに接続された状態で壁面８９０に配される。このテレビコンセント８１においては、上述のように筐体８１０の幅が狭くなるようにされており、これにより入力端子８２ｃの周囲のスペースが大きくなり、テレビコンセント８１への同軸ケーブル８６０の接続作業を行い易いようにされている。
【０００７】
しかしながら、このようなテレビコンセント８１では、２つのスイッチ８４が第２のテレビ端子８２ｂの近傍に互いに略水平に並んでいるので、どちらのスイッチ８４が第１のテレビ端子８２ａ及び第２のテレビ端子８２ｂのどちらに対応するものであるかが分かりにくく、扱いにくいものである。
【０００８】
一方、特許文献２に記載されているようなテレビコンセントは、２つのスイッチが、それぞれ各テレビ端子の近傍に設けられている。このため、筐体には上述のような幅が狭くされた部位は設けられておらず、入力端子の周囲の空間が狭く、同軸ケーブル８６０の接続作業を行いづらい。なお、特許文献２には、スイッチを覆うカバーに開閉部を設けることで、スイッチを切り替えるときの作業性を向上させる技術が記載されている。
【特許文献１】特開２００２−１７１１８０号公報
【特許文献２】特開２００２−０２５６４８号公報
【発明の開示】
【発明が解決しようとする課題】
【０００９】
本発明は、上記問題点を鑑みてなされたものであり、筐体の幅を狭くすることが可能であり、同軸ケーブルの接続作業を容易に行うことができるとともに、２つのスイッチがそれぞれどちらのテレビ端子に対応したものであるかが分かりやすく、テレビ端子を双方向通信用とするか片方向通信用とするかを容易に設定することが可能な、扱い易いテレビコンセントを提供することを目的とする。
【課題を解決するための手段】
【００１０】
上記目的を達成するため請求項１の発明は、筐体前面から露出されるように設けられた第１のテレビ端子及び第２のテレビ端子と、筐体外部に露出するように筐体の背面側に配され、同軸ケーブルと接続される入力端子と、筐体内部に収納され、前記入力端子に接続されて前記同軸ケーブルを経由して送られる信号を２分配する２分配回路を有する２分配回路基板と、前記２分配回路と第１のテレビ端子とを前記信号を伝送可能に接続する第一の経路と、第一の経路とは異なり前記２分配回路と第２のテレビ端子とを前記信号を伝送可能に接続する第二の経路と、これら第一、第二の経路それぞれに個別に挿入可能なフィルタとを有し、筐体内部に収納されたフィルタ回路基板と、前記筐体前面に外部から操作可能に設けられ、第一の経路に接続され、前記フィルタを第一の経路に挿入するかどうかによって第１のテレビ端子を双方向通信と片方向通信とに切り替えるための第１の切り替えスイッチと、前記筐体前面に外部から操作可能に設けられ、第二の経路に接続され、前記フィルタを第二の経路に挿入するかどうかによって第２のテレビ端子を双方向通信と片方向通信とに切り替えるための第２の切り替えスイッチとを備えたテレビコンセントにおいて、前記第１の切り替えスイッチ及び第２の切り替えスイッチは、共に前記第１のテレビ端子又は第２のテレビ端子のいずれか一方の近傍に配置されており、前記第１の切り替えスイッチは、第２の切り替えスイッチよりも前記第１のテレビ端子に近い位置に配置され、前記第２の切り替えスイッチは、第１の切り替えスイッチよりも前記第２のテレビ端子に近い位置に配置されているものである。
【００１１】
請求項２の発明は、請求項１の発明において、前記第１の切り替えスイッチ及び第２の切り替えスイッチそれぞれには、筐体前方から目視可能な色表示部が設けられており、この色表示部は、前記第１の切り替えスイッチ及び第２の切り替えスイッチそれぞれが双方向通信に設定された状態での表示部分と、片方向通信に設定された状態での表示部分とが互いに異なる色を有しており、前記第１の切り替えスイッチ及び第２の切り替えスイッチそれぞれの双方向通信／片方向通信の設定状態に応じて筐体前方に表示する色が変化することで、前記第１の切り替えスイッチ及び第２の切り替えスイッチそれぞれの設定状態を目視可能にしたものである。
【００１２】
請求項３の発明は、請求項２の発明において、前記筐体の前面に位置するように配されたカバーを備え、前記カバーは、透光性を有する材質で形成され、前記色表示部の表示色を前方に透過させるように各表示部と対応する位置に設けられた窓部と、各窓部の近傍に配され、前記色表示部の表示色が前記第１の切り替えスイッチ及び第２の切り替えスイッチの双方向通信／片方向通信のいずれの設定状態と対応する色かを示す説明表示部とを有するものである。
【００１３】
請求項４の発明は、請求項２又は請求項３のいずれかの発明において、前記筐体の前面を覆うように配されるカバーを備え、前記カバーの第１の切り替えスイッチ及び第２の切り替えスイッチとそれぞれ対応する位置には、操作されないときには自重により閉状態となるかまたは内装した弾性部材の付勢力で閉状態となるシャッタを有する開閉窓が設けられており、前記シャッタが操作されてこの開閉窓が開状態となることにより、外部から前記第１の切り替えスイッチ又は第２の切り替えスイッチが操作可能となるものである。
【００１４】
請求項５の発明は、請求項１の発明において、筐体前方から目視可能に設けられる発光部と、前記第１の切り替えスイッチ及び第２の切り替えスイッチが片方向通信から双方向通信へ、又は双方向通信から片方向通信へ操作されるときに電気を発生し、前記発光部へ通電可能な発電部とをさらに有するものである。
【発明の効果】
【００１５】
請求項１の発明によれば、第１の切り替えスイッチは、第２の切り替えスイッチよりも第１のテレビ端子に近い位置に配置され、第２の切り替えスイッチは、第１の切り替えスイッチよりも第２のテレビ端子に近い位置に配置されているので、第１のスイッチが第１のテレビ端子に対応し、第２のスイッチが第２のテレビ端子に対応していることが分かり易く、双方向通信と片方向通信の切り替え作業を容易に且つ確実に行うことが可能となる。また、第１の切り替えスイッチ及び第２の切り替えスイッチは、共に前記第１のテレビ端子又は第２のテレビ端子のいずれか一方の近傍に配置されているので、第１の切り替えスイッチ及び第２の切り替えスイッチが第１、第２のテレビ端子の略中間位置に配設される場合に比べれば、筐体に幅が狭い部位を設けることに支障がないので、入力端子の近傍に大きな空間が確保することができ、入力端子への同軸ケーブルの接続作業を容易に行うことが可能である。
【００１６】
請求項２の発明によれば、各切り替えスイッチの双方向通信／片方向通信の設定状態に応じて色表示部が筐体前方に表示する色が変化し、この色を目視することにより、各切り替えスイッチの双方向通信／片方向通信の設定状態を確認することができるようになる。これにより、第１のテレビ端子及び第２のテレビ端子がそれぞれ双方向通信用と片方向通信用とどちらに設定されているか容易に且つ確実に確認することが可能となる。
【００１７】
請求項３の発明によれば、色表示部が表示する色を、カバーに設けられた窓部を通してカバー前面側から確認できるので、各テレビ端子が双方向通信用と片方向通信用とどちらに設定されているかを、カバー等を取り外すことなく、より容易に確認することが可能となる。また、説明表示部を参照して、表示色と対応する第１のスイッチ及び第２のスイッチの設定状態を確認することができるので、各テレビ端子が双方向通信用と片方向通信用とのどちらに設定されているかを確実に確認することが可能となる。
【００１８】
請求項４の発明によれば、カバーにシャッタを有する開閉窓が設けられているので、カバー等を取り外さずに各切り替えスイッチの設定状態を変えることができ、第１のテレビ端子及び第２のテレビ端子の双方向通信用と片方向通信用との切り替え作業をより容易に行うことが可能となる。加えて、開閉窓にはシャッタを備え、このシャッタは、操作されないときには自重により閉状態となるかまたは内装した弾性部材の付勢力で閉状態となるので、施工者が施工した後、ユーザが誤って操作するのを防止できる。
【００１９】
請求項５の発明によれば、切り替えスイッチが片方向通信から双方向通信へ、又は双方向通信から片方向通信へ操作されるときに発電部が電気を発生し、筐体前方から目視可能な発光部に通電されるので、発光部の発光により切り替えスイッチの設定状態を確認することが可能となり、第１のテレビ端子及び第２のテレビ端子の双方向通信用と片方向通信用との切り替え作業をより容易に且つ確実に行うことが可能となる。暗所ではもちろん発光を目視しやすく、壁裏等暗所での施工作業に特に効果を奏する。
【発明を実施するための最良の形態】
【００２０】
以下、本発明の第１の実施形態について図面を参照して説明する。図１（ａ）、（ｂ）は、本実施形態に係るテレビコンセントを示す。このテレビコンセント１の筐体１０の上部及び下部には、筐体１０の前面から露出されるように、それぞれ第１のテレビ端子２ａ及び第２のテレビ端子２ｂが設けられている。筐体１０の背面側には、筐体１０の外部に露出するように、同軸ケーブル（図示せず）と接続される入力端子２ｃが設けられている。筐体１０の前面の第２のテレビ端子２ｂの近傍には、２つの操作孔３ａ，３ｂが設けられている。この操作孔３ａ，３ｂを通して筐体１０の外部から操作可能となるように、第１の切り替えスイッチ（以下、第１のスイッチと称する）４ａ、第２の切り替えスイッチ（以下、第２のスイッチと称する）４ｂがそれぞれ設けられている。筐体１０の内部には、入力端子２ｃと接続され、同軸ケーブルを経由して送られる信号を２分配する２分配回路基板５と、２分配された信号を第１のテレビ端子２ａ及び第２のテレビ端子２ｂに伝送するフィルタ回路基板６とが収納されている。図１（ａ）、（ｂ）には示されていないが、このテレビコンセント１は筐体１０の前面に配されるカバー２０を有している。
【００２１】
図２（ａ）、（ｂ）、（ｃ）、（ｄ）は、カバー２０を示す。カバー２０は、付近の人が接触するときに備えて絶縁をしておくためのものではなく、外観を損ねないようにするためのものであるので、絶縁樹脂材でも金属製のものでもかまわないものであり、第１のテレビ端子２ａ及び第２のテレビ端子２ｂを外部に露出させる穴部２０ａ，２０ｂを有しており、筐体１０の前面に係止されるものである。このテレビコンセント１は、入力端子２ｃに同軸ケーブルが接続された状態で、例えば室内の壁面等に取り付けられる。そして、筐体１０の前面にカバー２０を配し、第１のスイッチ４ａ及び第２のスイッチ４ｂを外部から見えなくした状態で用いられる。
【００２２】
筐体１０は、例えばダイキャスト等、金属により成形される。筐体１０の第１のテレビ端子２ａと操作孔３ａ，３ｂとの間の部位は、図１（ａ）に示すように、前面から見て、幅が狭く、くびれたような形状に形成されている。本実施形態において、図１（ｂ）に示すように、筐体１０の上部は、前面から背面までの奥行きが他の部分より大きく、他の部分よりも後方に出っ張った形状とされている。筐体１０の上面と、筐体１０の背面のうち後方に出っ張っていない部分とは、外部に解放された開口部とされている。それぞれの開口部は、封止板１０ａ，１０ｂで覆われている。
【００２３】
本実施形態において、第１のテレビ端子２ａ、第２のテレビ端子２ｂ、及び入力端子２ｃは、例えばＦ型コネクタの端子である。入力端子２ｃは、筐体１０の側面の近傍に、筐体１０の背面の、後方に出っ張った部分から下方向に突出するように設けられている。すなわち、入力端子２ｃの近傍には、筐体１０の幅が狭くされていることにより、大きな空間が確保されている。
【００２４】
操作孔３ａは、図１（ａ）に示すように、操作孔３ｂよりも第１のテレビ端子２ａに近い位置に配置され、操作孔３ｂは、操作孔３ａよりも第２のテレビ端子２ｂに近い位置に配置されている。すなわち、第１のスイッチ４ａ及び第２のスイッチ４ｂは、共に第２のテレビ端子２ｂの近傍に設けられており、第１のスイッチ４ａは、第２のスイッチ４ｂよりも第１のテレビ端子２ａに近い位置に配置され、第２のスイッチ４ｂは、第１のスイッチ４ａよりも第２のテレビ端子２ｂに近い位置に配置されている。第１のスイッチ４ａ及び第２のスイッチ４ｂは、例えばスライド型のスイッチであり、本実施形態においては、操作孔３ａ，３ｂを通して上下方向に切り替えることができるように配されている。
【００２５】
２分配回路基板５は、図１（ｂ）に示すように、筐体１０の上部の後方に出っ張った部位の内部の空間に水平に収納されており、入力端子２ｃと接続されている。この２分配回路基板５は２分配回路（図示せず）を有しており、この２分配回路により、同軸ケーブルを経由して入力端子２ｃから入力された信号を２分配する。
【００２６】
図３（ａ）、（ｂ）は、フィルタ回路基板６を示す。フィルタ回路基板６は、両面パターン基板であって、図１（ｂ）に示すように、筐体１０の内部に、筐体１０の前面と平行に収納されている。このフィルタ回路基板６は、第一の経路７ａ及び第二の経路７ｂと、これら経路７ａ，７ｂそれぞれに挿入可能に設けられるフィルタ８と、上述の第１のスイッチ４ａ及び第２のスイッチ４ｂにそれぞれ接続されるスイッチ接続部４１ａ，４１ｂを有している。第１のテレビ端子２ａ及び第２のテレビ端子２ｂと、２分配回路基板上の２分配回路は、このフィルタ回路基板６に接続されている。第一、第二の経路７ａ，７ｂは、この第１のテレビ端子２ａ及び第２のテレビ端子２ｂと、２分配回路基板５の２分配回路とを、信号を伝送可能にそれぞれ接続している。スイッチ接続部４１ａ，４１ｂは、それぞれ第一、第二の経路７ａ，７ｂの途中に配されており、スイッチ４ａ，４ｂが切り替わると、フィルタ８が第一、第二の経路７ａ，７ｂに挿入されるかどうかが切り替わるように構成されている。
【００２７】
フィルタ８は、ＣＡＴＶ用の信号のうち、加入者（ユーザ）側からＣＡＴＶ局側に向かう上り方向に対応する周波数帯域の成分を除去する帯域阻止フィルタである。フィルタ８は、第一、第二の経路７ａ，７ｂにそれぞれ挿入されたとき、この第一、第二の経路７ａ，７ｂを伝送されるＣＡＴＶ用の信号のうち、第１のテレビ端子２ａ及び第２のテレビ端子２ｂから入力端子２ｃに向かう上り方向に対応する周波数帯域の信号をカットする。このため、第一、第二の経路７ａ，７ｂは、入力端子２ｃから第１のテレビ端子２ａ及び第２のテレビ端子２ｂに向かう下り方向に対応する周波数帯域の信号のみを通過可能な片方向通信用の経路となる。フィルタ８が第一、第二の経路７ａ，７ｂに挿入されていないときには、第一、第二の経路７ａ，７ｂは双方向通信用の経路となる。すなわち、上述のように、第１のスイッチ４ａ又は第２のスイッチ４ｂが切り替わり、フィルタ８がそれぞれ第一、第二の経路７ａ，７ｂに挿入されるかどうかが切り替わると、第１のテレビ端子２ａ、第２のテレビ端子２ｂについて、双方向通信用か片方向通信用かの設定が切り替わる。
【００２８】
本実施形態においては、第１のテレビ端子２ａと第２のテレビ端子２ｂとのそれぞれについての双方向通信と片方向通信との切り替え作業は、テレビコンセント１が壁面等に設置されている状態で行うことができる。この切り替え作業は、カバー２０を筐体１０から取り外して、外部から第１のスイッチ４ａ又は第２のスイッチ４ｂの双方向通信／片方向通信の設定を切り替えればよい。ここで、第１のスイッチ４ａは、第２のスイッチ４ｂよりも第１のテレビ端子２ａに近い位置に配置され、第２のスイッチ４ｂは、第１のスイッチ４ａよりも第２のテレビ端子２ｂに近い位置に配置されているので、第１のスイッチ４ａが第１のテレビ端子２ａに対応し、第２のスイッチ４ｂが第２のテレビ端子２ｂに対応していることが分かり易く、切り替え作業を容易に且つ確実に行うことが可能となる。また、上述のように、筐体１０に幅が狭い部位が設けられて入力端子２ｃの近傍には大きな空間が確保されているので、テレビコンセント１の設置作業時等に入力端子２ｃへの同軸ケーブルの接続作業を容易に行うことが可能である。
【００２９】
次に、本発明の第２の実施形態について説明する。以下の各実施形態において、上述の実施形態と同様の構成部材のものは同一の符号を付し、上述の実施形態と相違する部分についてのみ説明する。本実施形態に係るテレビコンセント１は、筐体１０に色表示窓が設けられており、また、第１のスイッチ４ａ及び第２のスイッチ４ｂの替わりに、後述のような色表示部を設けた第１のスイッチ１４ａ及び第２のスイッチ１４ｂを備えていることが上述の第１の実施形態との主な相違点である。第１のスイッチ１４ａ及び第２のスイッチ１４ｂは互いに同様の構成であり、以下、第１のスイッチ１４ａ及び第２のスイッチ１４ｂの両方について、スイッチ１４と称して説明する。
【００３０】
図４（ａ）、（ｂ）、及び図５（ａ）、（ｂ）、（ｃ）は、スイッチ１４を示す。本実施形態において、筐体１０の操作孔３ａ及び３ｂの傍には色表示窓１８が設けられている。スイッチ１４は、上述の第１の実施形態において用いられるものと同様なスライド型スイッチであり、第１の実施形態と同様に、筐体１０の外部から操作可能に、フィルタ回路基板６のスイッチ接続部４１ａ，４１ｂに接続するように配置されている。スイッチ１４は、外部から操作されるレバー部１４１と、スイッチ本体１４２と、フィルタ回路基板６のスイッチ接続部４１ａ，４１ｂに接続される端子部１４３と、板状の色表示部１４４とを有している。色表示部１４４は、筐体１０の前面に略水平となるように、レバー部１４１に接続して設けられている。この色表示部１４４は、図４（ａ）に示すように、筐体１０の色表示窓１８を通して筐体１０の前方から目視可能である。なお、本実施形態において、図４（ａ）に示すように、スイッチ１４のレバー部１４１が上方となっているときには、このスイッチ１４と対応する第一、第二の第一、第二の経路７ａ，７ｂは双方向通信用となり、図４（ｂ）に示すように、スイッチ１４のレバー部１４１が下方となっているときには、このスイッチ１４と対応する第一、第二の経路７ａ，７ｂは片方向通信用となるが、これに限られるものではなく、逆に、レバー部１４１が上方のときに片方向通信用として、レバー部１４１が下方のときに双方向通信用としてもよい。
【００３１】
色表示部１４４には、図５（ａ）に示すように、上面が互いに異なる色とされた双方向通信表示部１４５と片方向通信表示部１４６とが、スイッチ１４の切り替え方向と同方向に並んで配されている。この双方向通信表示部１４５及び片方向通信表示部１４６は、スイッチ１４の設定状態に応じて、それぞれ色表示窓１８と対応する位置となるように、色表示部１４４上に配される。すなわち、双方向通信表示部１４５は、図４（ａ）に示すように、スイッチ１４が双方向通信に設定されているときに、色表示窓１８を通して外部から目視可能となるような色表示部１４４の表示部分に配置されている。同様に、片方向通信表示部１４６は、図４（ｂ）に示すように、スイッチ１４が片方向通信に設定されているときに、色表示窓１８を通して外部から目視可能となるような色表示部１４４の表示部分に配置されている。
【００３２】
上述のように、本実施形態において、スイッチ１４の双方向通信／片方向通信が切り替えられると、スイッチ１４の双方向通信／片方向通信の設定状態に応じて、色表示部１４４から色表示窓１８を通して筐体１０の前方に表示される色が、双方向通信表示部１４５の色と片方向通信表示部１４６の色とで変化する。この色を目視することにより、通信事業者（施工者）およびユーザは、スイッチ１４の双方向通信／片方向通信の設定状態を確認することができるようになる。これにより、第１のテレビ端子２ａ及び第２のテレビ端子２ｂがそれぞれ双方向通信用と片方向通信用とどちらに設定されているか容易に且つ確実に確認することが可能となる。
【００３３】
なお、本実施形態において、双方向通信表示部１４５と片方向通信表示部１４６は、色表示部１４４上に塗布されて設けられているが、これに限られず、例えば樹脂等により色表示部１４４に設けられているようなものであってもよい。
【００３４】
また、本実施形態において、筐体１０が色表示窓１８を有さず、色表示部１４４が、操作孔３ａ，３ｂを通して外部から目視可能に設けられて、この部分の色が双方向通信／片方向通信の設定状態により異なるようにしてもよい。例えば、スイッチ本体１４２の上面の、レバー部１４１が突出した部分よりも上部と下部をそれぞれ片方向通信表示部１４６及び双方向通信表示部１４５とすることにより、操作孔３ａ，３ｂを通して外部から目視できる色が、双方向通信／片方向通信の設定状態により異なるようになる。これにより、同様に、第１のテレビ端子２ａ及び第２のテレビ端子２ｂがそれぞれ双方向通信用と片方向通信用とどちらに設定されているかを容易に且つ確実に確認することが可能となる。
【００３５】
またさらに、レバー部１４１をスライドタイプのものでなくてロータリータイプのものとし、それにあわせて色表示部１４４をロータリータイプのレバー部１４１の回動にあわせて回転する円板形状のものにしてもよい。
【００３６】
図６（ａ）、（ｂ）は、本発明の第３の実施形態に係るテレビコンセントのカバーを示す。本実施形態において、テレビコンセント１は、上述の第２の実施形態において、カバー２０の替わりにカバー２２０を用いたものである。カバー２２０は、上述の穴部２０ａ，２０ｂに加えて、窓部２２１ａ，２２１ｂと説明表示部２２２とを有している。
【００３７】
窓部２２１ａ，２２１ｂは、例えば透明な樹脂等の透光性を有する材質で形成されている。窓部２２１ａ，２２１ｂは、カバー２２０が筐体１０に取り付けられたときに、筐体１０に設けられている色表示窓１８と対応する位置となるように、カバー２２０の前面に設けられている。そして、この窓部２２１ａ，２２１ｂから色表示部１４４の表示色が外部に透過し、カバー２２０の前方から、この表示色を確認することが可能とされている。なお、窓部２２１ａは、筐体１０の操作孔３ａ近傍の色表示窓１８と対応して設けられ、窓部２２１ｂは、筐体１０の操作孔３ｂ近傍の色表示窓１８と対応するように設けられている。
【００３８】
また、説明表示部２２２は、図６（ａ）に示すように、カバー２２０の前面の、窓部２２１ａ，２２１ｂの近傍に配されている。説明表示部２２２は、色表示部１４４による表示色と、第１のスイッチ１４ａ及び第２のスイッチ１４ｂの双方向通信／片方向通信の設定状態との対応について文字で示すものである。この説明表示部２２２は、本実施形態において、例えばカバー２２０の成形時に同時に成形される刻印のようなものであってもよく、カバー２２０の成形後に印刷等により設けられたり、又は、シール等の貼り付けによって設けられるようなものであってもよい。また、表示色と双方向通信／片方向通信の設定状態との対応を文字で示すものに限らず、色や記号等を用いて示すようなものであってもよい。
【００３９】
上述のように、本実施形態においては、色表示部１４４が表示する色を、カバー２２０に設けられた窓部２２１ａ，２２１ｂを通してカバー２２０の前面側から確認することができる。これにより、第１のテレビ端子２ａ及び第２のテレビ端子２ｂがそれぞれ双方向通信用と片方向通信用とどちらに設定されているかを、カバー２２０を取り外すことなく、容易に確認することが可能となる。また、説明表示部２２２を参照して、確認した表示色と対応する第１のスイッチ１４ａ及び第２のスイッチ１４ｂの設定状態を確認することができる。これにより、第１のテレビ端子２ａ及び第２のテレビ端子２ｂがそれぞれ双方向通信用と片方向通信用とどちらに設定されているかを確実に確認することが可能となる。
【００４０】
図７は、本発明の第４の実施形態に係るテレビコンセントのカバーを示す。このカバー３２０は、上述のカバー２２０にさらに開閉窓３２１ａ，３２１ｂを設けたようなものである。なお、本実施形態において、カバー３２０は窓部２２１ａ，２２１ｂを有しており、説明表示部２２２を有していないが、これに限られるものではない。
【００４１】
開閉窓３２１ａ，３２１ｂは、カバー３２０が筐体１０に取り付けられたときに第１のスイッチ１４ａ及び第２のスイッチ１４ｂと対応する位置にそれぞれ設けられている。この開閉窓３２１ａ，３２１ｂは、上下方向に開閉するシャッタ３２３をそれぞれ有している。開閉窓３２１ａ，３２１ｂは、シャッタ３２３が通信事業者側の作業者等により操作されて上方向へ動くと開状態となり、シャッタ３２３が操作されないときには、シャッタ３２３が自重によって下方向へと動いて、閉状態となる。
【００４２】
シャッタ３２３が操作されて開閉窓３２１ａ，３２１ｂが開状態となると、この開閉窓３２１ａ，３２１ｂを通して、第１のスイッチ１４ａ又は第２のスイッチ１４ｂがそれぞれ外部から操作可能となる。このように、カバー３２０に開閉窓３２１ａ，３２１ｂが設けられていることで、第１のスイッチ１４ａ又は第２のスイッチ１４ｂの双方向通信／片方向通信の設定状態を、カバー３２０を取り外さずに切り替えることができる。これにより、第１のテレビ端子２ａ及び第２のテレビ端子２ｂの双方向通信用と片方向通信用との切り替え作業をより容易に行うことが可能となる。また、シャッタ３２３は、操作されないときには自重により閉状態となるので、施工者が施工した後、ユーザが誤って操作するのを防止できる。なお、本実施形態において、シャッタ３２３は、弾性部材を内装しており、その弾性部材の付勢力で閉状態となるようなものであってもよい。
【００４３】
次に、本発明に係る第５の実施形態について説明する。本実施形態に係るテレビコンセント１は、上述の第１の実施形態において、発電部（図示せず）と、この発電部が発生する電気により発光する発光部５０とを設けたものである。
【００４４】
図８は、発光部５０を発光させる回路の一例を示す。発光部５０は、例えばＬＥＤ等であって、例えば筐体１０の操作孔３ａ，３ｂの近傍等、筐体１０の前方から目視可能な位置に設けられている。図に示すように、この発光部５０は、フィルタ回路基板６上のフィルタ８に接続されるスイッチ接続部４１ａ，４１ｂに、チョークコイル４９を通してそれぞれ接続されている。また、図示されていないが、発電部は、例えば第１のスイッチ４ａ及び第２のスイッチに設けられる圧電素子であり、第１のスイッチ４ａ又は第２のスイッチ４ｂが片方向通信から双方向通信へ、又は双方向通信から片方向通信へのいずれかの向きに操作されるときに電気を発生するように構成されている。この発電部が発生した電気は、第１のスイッチ４ａ、第２のスイッチ４ｂに接続されるスイッチ接続部４１ａ，４１ｂを通してチョークコイル４９、発光部５０に流れるように構成されている。
【００４５】
上述のように、本実施形態においては、第１のスイッチ４ａ又は第２のスイッチ４ｂが操作されて発電部が電気を発生すると、この電気がチョークコイル４９を介して発光部５０に通電され、発光部５０が発光する。発光部５０の発光は、筐体１０の前方から目視にて確認可能である。つまり、発光部５０の発光により、第１のスイッチ４ａ又は第２のスイッチ４ｂの切り替え時に双方向通信／片方向通信の設定状態を確認でき、第１のテレビ端子２ａ及び第２のテレビ端子２ｂの双方向通信用と片方向通信用との切り替え作業をより容易に且つ確実に行うことが可能となる。暗所ではもちろん発光を目視しやすく、壁裏等暗所での施工作業に特に効果を奏する。
【００４６】
なお、本発明は上記実施形態の構成に限定されるものではなく、発明の趣旨を変更しない範囲で適宜に種々の変形が可能である。例えば、テレビコンセント１は、筐体１０の背面側に、入力端子２ｃの他に送り配線用の出力端子が設けられているようなものであってもよい。また、上述の第３の実施形態及び第４の実施形態において、窓部や開閉窓は、２箇所に別々に設けられているものでなくともよく、２つの色表示窓１８の両方や、操作孔３ａ，３ｂの両方に対応する位置に１つだけ設けられているものであってもよい。
【図面の簡単な説明】
【００４７】
【図１】（ａ）は本発明の第１の実施形態に係るテレビコンセントを示す正面図、（ｂ）は同テレビコンセントの側断面図。
【図２】（ａ）は同上テレビコンセントのカバーを示す正面図、（ｂ）は同カバーを示す側面図、（ｃ）は同カバーを示す背面図、（ｄ）は同カバーを示す下面図。
【図３】（ａ）は同上テレビコンセントのフィルタ回路基板を示す正面図、（ｂ）は同フィルタ回路基板を示す背面図。
【図４】（ａ）は本発明の第２の実施形態に係るテレビコンセントの切り替えスイッチを筐体前面から見たときを部分的に示す図、（ｂ）は（ａ）の切り替えスイッチを切り替えた状態を部分的に示す図。
【図５】（ａ）は同上切り替えスイッチを示す正面図、（ｂ）は同スイッチを示す側面図、（ｃ）は同スイッチを示す下面図。
【図６】（ａ）は本発明の第３の実施形態に係るテレビコンセントのカバーを示す正面図、（ｂ）は同カバーを示す背面図。
【図７】本発明の第４の実施形態に係るテレビコンセントのカバーを示す正面図。
【図８】本発明の第５の実施形態に係るテレビコンセントの発光部を発光させる回路を示す回路図。
【図９】（ａ）は従来のテレビコンセントの一例を示す正面図、（ｂ）は同テレビコンセントを示す側面図、（ｃ）は同テレビコンセントを示す斜視図。
【図１０】同上テレビコンセントのフィルタ回路基板を示す平面図。
【図１１】（ａ）は同上テレビコンセントにカバーを配したときの正面図、（ｂ）は同テレビコンセントを壁面に設置したときを示す図。
【符号の説明】
【００４８】
１  テレビコンセント
２ａ  第１のテレビ端子
２ｂ  第２のテレビ端子
２ｃ  入力端子
４ａ  第１の切り替えスイッチ
４ｂ  第２の切り替えスイッチ
５  ２分割回路基板
６  フィルタ回路基板
７ａ  第一の経路
７ｂ  第二の経路
８  フィルタ
１０  筐体
２０，２２０、３２０  カバー
５０  発光部
４１ａ，４１ｂ  スイッチ接続部
１４４  色表示部
２２１ａ，２２１ｂ  窓部
２２２  説明表示部
３２１ａ，３２１ｂ  開閉窓
３２３  シャッタ
【図１】
2007012469.tif 000003
【図２】
2007012469.tif 000004
【図３】
2007012469.tif 000005
【図４】
2007012469.tif 000006
【図５】
2007012469.tif 000007
【図６】
2007012469.tif 000008
【図７】
2007012469.tif 000009
【図８】
2007012469.tif 000010
【図９】
2007012469.tif 000011
【図１０】
2007012469.tif 000012
【図１１】
2007012469.tif 000013